(57)【要約】【課題】任意の太さの先端部を有する傘に対して、取り付け可能な傘カバーを提供する。【解決手段】横断面径の異なる円筒状カバー部材３ｎＡを複数個設け、これを横断面径の大きさの順に伸縮自在に接続し、カバー部材３ｎＡの先端に着脱部３２Ａを設ける。着脱部３２Ａ内において、内周方向に配置された可撓部６１２に対して、調整部材６２を軸方向に挿入することにより、案内部６２２が可撓部６１２の間隔を狭め、先端部１０１の太さに応じた保持力を生じさせる。【選択図】図１０
2009119238.tif 000002
【特許請求の範囲】
【請求項１】
傘先端部が挿入される挿入口を有し、該挿入口に挿入された傘先端部に着脱自在に取り付けられる着脱部と、
該着脱部の挿入口側に外装された筒状の先端カバー部材と、
前側から後側へ向けて、前記先端カバー部材から順に複数のカバー部材が後端側に外装され、
前記複数のカバー部材は、外側面が重なった縮小状態と、軸方向に伸張されて外側面が露出した伸張状態とに変更可能に構成され、
前記着脱部は、前記先端カバー部材が接続される収容部材と、
前記収容部材内に設けられ、挿入された傘先端部に接触して収容部材に傘先端部を固定する保持部材とを備え、
前記収容部材は、傘先端部が挿入される収容部と、前記収容部において、内部周方向に複数配置され、先端方向へ向けて延設された、可撓性を有する複数の可撓部と、
前記収容部材の先端から挿入口へ向けて挿入され、前記複数の可等部の先端に対向して配置され、挿入口の方向へ移動することによって、前記各可撓部の先端に接触しつつ、各可撓部の先端を相互に近づく方向へ案内するガイド部を有する調整部材と、
前記保持部材は、前記可撓部の内側に配置されていることを特徴とする傘カバー。
【発明の詳細な説明】
【技術分野】
【０００１】
本発明は、傘カバーに係り、より詳細には、折り畳まれた傘の外側に外装される伸縮自在な傘カバーに関する。
【背景技術】
【０００２】
使用直後の傘に取り付け、傘に付着した水滴を周囲に接触させないようにするためのカバーが、従来多数提案されている。特に、径の異なる筒体を径の大きさの順番に連結し、畳まれた傘の外側に外装するカバーがある。  
このようなカバーは、下記特許文献１に記載されているように、傘の先端部に中心の筒体が接続され、先端から傘の柄の方へ筒体をスライドさせることにより、筒体の連結体を引き伸ばし、傘を内側に収容する構成となっている。
【特許文献１】特開２００１−１７２２０号
【発明の開示】
【発明が解決しようとする課題】
【０００３】
しかし、従来のカバーでは、傘毎に先端部の長さや太さが異なるため、先端部の太さに応じて、取り付けることができる傘と、取り付けできない傘があり、十分な有用性がないといった問題もあった。  
本発明の目的は、任意の太さの先端部を有する傘に対して、取り付け可能な傘カバーを提供することにある。
【課題を解決するための手段】
【０００４】
以上のような問題を解決する本発明は、以下のような構成を有する。  
(１)  傘先端部が挿入される挿入口を有し、該挿入口に挿入された傘先端部に着脱自在に取り付けられる着脱部と、
該着脱部の挿入口側に外装された筒状の先端カバー部材と、
前側から後側へ向けて、前記先端カバー部材から順に複数のカバー部材が後端側に外装され、
前記複数のカバー部材は、外側面が重なった縮小状態と、軸方向に伸張されて外側面が露出した伸張状態とに変更可能に構成され、
前記着脱部は、前記先端カバー部材が接続される収容部材と、
前記収容部材内に設けられ、挿入された傘先端部に接触して収容部材に傘先端部を固定する保持部材とを備え、
前記収容部材は、傘先端部が挿入される収容部と、前記収容部において、内部周方向に複数配置され、先端方向へ向けて延設された、可撓性を有する複数の可撓部と、
前記収容部材の先端から挿入口へ向けて挿入され、前記複数の可等部の先端に対向して配置され、挿入口の方向へ移動することによって、前記各可撓部の先端に接触しつつ、各可撓部の先端を相互に近づく方向へ案内するガイド部を有する調整部材と、
前記保持部材は、前記可撓部の内側に配置されていることを特徴とする傘カバー。
【発明の効果】
【０００５】
請求項１記載の発明によれば、着脱部に傘先端部を挿入することによって、本発明の傘カバーは、傘に取り付けられる。カバー部材を伸張状態とすることにより、傘のほぼ全体を傘カバーが覆うこととなり、また、縮小状態とすることにより小型化され、非使用状態での取り扱いや、収容が容易となる。  
調整部材を可撓部へ向けて挿入することにより、ガイド部が可撓部に作用して、挿入されている傘先端部へ向けて可撓部を押し付け、傘先端部の保持力を調整することができる。また、傘先端部の太さ応じて収容部内部の可撓部の間隔を調整することができる。
【発明を実施するための最良の形態】
【０００６】
以下、本発明の好適実施形態について、添付図面に基づいて詳細に説明する。図１は、本発明の傘カバー１が取り付けられた傘１０を示す全体斜視図である。図１に示されている傘カバー１は、引き伸ばされた伸張状態となっている。傘カバー１は、複数のカバー部材３１１〜３２２を連結して構成されており、先端の先端カバー部材３２２には、着脱部３２が設けられている。図２は、軸方向に縮められた縮小状態を示す、傘カバー１の全体図である。
【０００７】
図３は、傘カバー１の部分側面断面図である。傘カバー１は、既述のとおり、複数のカバー部材３ｎ（ｎ＝１１〜２２）を有している。以下、図３及び図４に基づいて、カバー部材３ｎについて説明する。カバー部材３ｎは、円筒形状に構成され、先端側と基端側にそれぞれ開口部４１ｎ、４２ｎを備えている。基端側開口部４２ｎの内周には、内側フランジ４３ｎが形成され、開口部４２ｎの外周には、外側フランジ４４ｎが形成されている。外側フランジ４４ｎの径は、基端側に隣接するカバー部材３（ｎ−１）の内周径と同じとなるよう構成されている。また、内側フランジ４３ｎの先端側には、所定の間隔を隔てて半球状の突起４５ｎが設けられている。この突起４５ｎと内側フランジ４３ｎとの間隔は、先端側に隣接するカバー部材３（ｎ＋１）の外側フランジ４４（ｎ＋１）の厚さと同じとなるように構成されている。カバー部材３ｎの内周面４６ｎは、任意の視覚情報が担持される情報表示部として機能する。この内周面４６ｎには、文字情報、図形情報などの視覚情報が、インクの塗布、シールの貼付などにより付与される。カバー部材３ｎは、透明又は半透明な材料で構成されているので、内周面４６ｎに情報が担持されても、外側から視認することができる。
【０００８】
先端側の開口部４２ｎの内径は、先端側に隣接するカバー部材３（ｎ＋１）の外周径と同じ長さに構成されている。伸張状態では、カバー部材３（ｎ＋１）の外側フランジ４４（ｎ＋１）は、開口部４２ｎの内側に形成された段部４７ｎに当接する。また縮小状態では、カバー部材３(ｎ＋１)は、カバー部材３ｎの内側に位置する。この際、外側フランジ４４（ｎ＋１）が突起４５ｎと内側フランジ４３ｎの間に押し込まれる。突起４５ｎは半球状であるため、外側フランジ４４（ｎ＋１）に突起４５ｎを容易に通過できる。突起４５ｎは、縮小状態にカバー部材３(ｎ＋１)を保持する作用を有する。このような構成は、両端のカバー部材３１１、３２２を除く各カバー部材３１２〜３２１に設けられ、例えば、カバー部材３１５は、先端側開口部４１１５、基端側開口部４２１５、内側フランジ４３１５、外側フランジ４４１５、突起４５１５、内周面４６１５、段部４７１５を備えている。  
基端のカバー部材３１１は、さらに基端側にカバー部材が接続されないので、外側フランジは有さない。また先端カバー部材３２２には、先端開口部に着脱部３２が接続される。
【０００９】
各カバー部材３１１〜３２２の情報表示部には、例えば文字が表示され、順に「オ」「イ」「ル」「コ」「ッ」「ク」「チ」「ェ」「ン」「ジ」「ャ」「―」とカタカナ文字が表示される。これにより、全体として、「オイルコックチェンジャー」なる商品名が表示されることとなる。このような商品名は、各カバー部材３１１〜３２２の周方向の位置が変わってしまうと、商品名を一目見て認識することが難しくなる。例えば、「イ」「ッ」「ェ」「ャ」「ー」の位置が裏側に移動してしまうと、「オ  ルコ  クチ  ンジ」となり、意味不明となる。
【００１０】
このような不都合を抑制するため、隣接するカバー部材３１１〜３２２の周方向の相対位置を固定するように、カバー部材３１２〜３２２の周面には、軸線方向に沿ってキー４８（ｎ−１）が形成され、先端側開口部４１ｎには、キー溝４９ｎが形成される。キー４８（ｎ−１）は、キー溝４９ｎに係合し、各カバー部材３１１〜３２２は、キー４８(ｎ−１)に沿って軸方向にスライド自在であるが、周方向には相対的に移動不能に構成される。
【００１１】
以上説明した構成の他、カバー部材３ｎの横断面形状は、円形に限らず、図６に示されているような多角形形状であってもよい。このような形状とすることにより、キー４８（ｎ＋１）とキー溝４９ｎが不要となる。同様に、図７に示されているように、横断面形状を３角形状であって、頂点部が円弧状に湾曲形成された形状としてもよい。
【００１２】
図８は他のカバー部材を有する傘カバー１Ａを示す全体側面図である。図８に示されている傘カバー１Ａは、引き伸ばされた伸張状態となっている。傘カバー１Ａは、複数のカバー部材３１１Ａ〜３２２Ａを連結して構成されており、先端の先端カバー部材３２２Ａには、着脱部３２Ａが設けられている。図９は、伸張状態での傘カバー１Ａの部分断面側面図、図１０は、カバー部材３１１Ａ〜３２２Ａを相互に重ねて合わせて、傘カバー１Ａを全体として縮小させた縮小状態を示す部分断面側面図である。
【００１３】
この実施形態の傘カバー１Ａでは、図９に示されているように、後端に位置するカバー部材３１１Ａと、中ほどに位置するカバー部材３１７Ａとの間にシート材ＳＴが設けられている。シート材ＳＴは、筒状に形成され、カバー部材３１１Ａとカバー部材３１７Ａとの間のカバー部材３１２Ａ〜３１６Ａの外周部に外装される。
【００１４】
図１１及び図１２は、シート材ＳＴの両端部分において、各カバー部材３１１Ａの先端部３１１ｆＡと、カバー部材３１７Ａの先端部３１７ｆＡに、貼り付け等により固定されている。シート材ＳＴの他の部分は、内側に位置するカバー部材３１２Ａ〜３１６Ａに対して固定されている部分はないため、図１０に示されているように、縮小状態では、カバー部材３１２Ａ〜３１６Ａの外周面に沿って細かく折りたたまれた状態となる。  
各カバー部材の先端部と後端部の構造について、図１１及び図１２に基づいて説明する。各カバー部材の構成は、同一であって、横断面径が先端へ順に漸減し、先端側で隣接するカバー部材が、後端側に隣接するカバー部材の内側に位置する構成となっている。
【００１５】
円筒形のカバー部材３１１Ａの先端部内側には、先端側の内周径が小さく、後端側の内周径が大きくなるように、段部４７１１が周方向に形成され、先端外周は滑らかな円弧状の曲面となっている。  
また、カバー部材３１１Ａの先端側に隣接するカバー部材３１２Ａの後端部外周面には、後端側の横断面外径が大きく、先端側の横断面外径が小さくなるような段部４４１２が形成されている。段部４４１２は、後端側に隣接するカバー部材３１１の段部４７１１に対して、伸張状態で当接し、内側のカバー部材３１２Ａが先端側に抜け出ないように構成されている。
【００１６】
カバー部材３１２Ａの内周面の後端部には、突起４５１２が形成されている。該突起４５１２には、カバー部材３１２Ａの先端側に隣接するカバー部材３１３の後端外周部が、縮小状態において当接し、後端側に抜け出ない構成となっている。  
シート材ＳＴの先端が接続されているカバー部材３１７Ａと、カバー部材３１８Ａとの間の構成も、図１１に基づいて説明した内容と同様である。つまり、図１２に示されているように、円筒形のカバー部材３１７Ａの先端部内側には、先端側の内周径が小さく、後端側の内周径が大きくなるように、段部４７１７が周方向に形成され、先端外周は滑らかな円弧状の曲面となっている。
【００１７】
また、カバー部材３１７Ａの先端側に隣接するカバー部材３１８Ａの後端部外周面には、後端側の横断面外径が大きく、先端側の横断面外径が小さくなるような段部４４１８が形成されている。段部４４１８は、後端側に隣接するカバー部材３１７の段部４７１７に対して、伸張状態で当接し、内側のカバー部材３１８Ａが先端側に抜け出ないように構成されている。  
カバー部材３１８Ａの内周面の後端部には、突起４５１８が形成されている。該突起４５１８には、カバー部材３１８Ａの先端側に隣接するカバー部材３１９の後端外周部が、縮小状態において当接し、後端側に抜け出ない構成となっている。  
以上のとおり、各カバー部材３ｎＡ(ｎは、１１〜２２)には、同様に、後端部に段部４４ｎと、突起４５ｎが形成され、先端部には、段部４７ｎが形成されており、縮小状態と伸張状態とで、カバー部材間の接続をそれぞれ維持する構成となっている。
【００１８】
図１３は、着脱部３２Ａの構成を示す、断面側面図である。図１４は、傘先端部１０１が挿入された状態を示す、着脱部３２Ａの断面側面図である。図１５は、開放部材６２が後退した状態を示す、着脱部３２Ａの断面側面図である。
【００１９】
着脱部３２Ａは、収容部材６１と、調整部材６２と、開放部材６３と、付勢部材６５と、保持部材６４とを備えている。後端外周面には、後端側が大径となる段部４４６１が形成されており、この段部４４６１に先端カバー部材３２２Ａ先端部の段部４７２２が当接する構成となっている。筒状の収容部材６１は、後端部に傘先端部１０１が挿入される挿入口６１１を備え、内部に収容部６１０を有している。
【００２０】
図１６に示されているように、収容部６１０内には、内壁面に複数の可撓部６１２が設けられている。可撓部６１２は、基端が収容部６４２内壁に接続され、隙間６１２Ｓを挟んで、周方向に等間隔で配置されており、収容部材６１の先端方向に延設されている。可撓部６１２の先端は、内側に屈曲した屈曲部６１２ｂが設けられている。各可撓部６１２は、横断面形状が円弧形状に構成され、複数の可撓部６１２によって、後述する保持部材６４が保持される保持領域が形成される。保持領域６４は、複数の可撓部６１２によって円筒形状に形成され、先端の屈曲部６１２ｂによって、円輪形状の底部が構成されるとともに、底部の中央には孔６１３が形成されている。可撓部６１２は、全体が内側に向けて撓むことが可能であり、その結果、先端が内側に向けて移動可能に構成されている。
【００２１】
収容部材６１の先端部内周面には、ネジ部６１４が形成され、このネジ部６１４に調整部材６２が螺合させられる。調整部材６２は、筒状に形成されており、後端外周面には、前記ネジ部６１４に螺合するネジ部６２１が形成されている。調整部材６２の後端部内周面には、先端へ向けて横断面径が漸減する傾斜面６２２が形成されている。傾斜面６６２は、後端部の最も内径が大きい部分で、可撓部６１２の屈曲部６１２ｂで構成された底部の外径よりも大きな径となっている。
【００２２】
この傾斜面６２２によってガイド部が構成され、調整部材６２を収容部材６１内に螺入させることにより、傾斜面６２２が可撓部６１２の先端を内側へ案内し、即ち、相互に近づく方向に案内し、可撓部６１２で構成された保持領域の横断面径を縮める(調整)することができる。保持領域の外径を均一に縮めるためには、可撓部６１２は、３つ以上であることが好ましい。この実施形態では４つに設定されている。
【００２３】
図１３、図１７に示されているように、可撓部６１２で形成された保持領域には、保持部材６４が収容されている。保持部材６４は、図１８に示されているように、横断面形状が円輪状であって、軸方向に沿ってスリット６４３が形成さている。保持部材６４は弾性材料で構成されており、スリット６４３の間隔を代えることで、容易に横断面径を変更できる構成となっている。また、保持部材６４自体も圧縮により変形可能に構成されている。図１７に示されているように、保持部材６４は、内側に傘先端部１０１が挿入される保持孔６４２を有し、後端の開口は、挿入口６１１に接続され、先端の開口は孔６１３に接続されている。
【００２４】
挿入口６１１に傘先端部１０１を挿入すると、図１４に示されているように、保持部材６４が変形し、弾性材料の復元力によって、保持部材６４が、傘先端部１０１を保持する。また、既述のように、調整部材６２によって、屈曲部６１２ｂで構成された底部の外径を調整することにより、保持部材６４の外径を調整し、保持部材６４による傘先端部１０１の保持力を調整することができる。
【００２５】
つまり、調整部材６２を深く螺入させることにより、保持部材６４の先端部分の径が小さくなり、保持力が大きくなる。或いは、より細い傘先端部１０１の保持が可能となる。また、調整部材６２を先端側に移動させることにより、保持部材６２の先端部分の径が大きくなり、より太い傘先端部１０１が挿入可能となる。図２１に示されているように、スリット６４３は、傘先端部１０１が挿入されることにより(図１８中:スリット６４３ａからスリット６４３ｂへ)、幅が広がるため、雨水の排出するはめの排出路が確保される。傘先端部１０１に伝い落ちる雨露が、収容部材６１の先端部まで容易に流入できるように、可撓部６１２の隙間６１２Ｓの位置に合致する位置に、スリット６４３が設けられていることが好ましい。
【００２６】
調整部材６２の先端部には、排出口６２４が形成され、該排出口６２４には、開放部材６３が内側から先端方向へ向けて挿入されている。開放部材６３は、先端が排出６２４から外側に突出し、後端部で外周側に突出形成されたフランジ６３２を有し、このフランジ６３２によって、排出口６２４を塞ぐ弁体が構成される。開放部材６３の内側には、付勢部材６５の先端を収納する収納部６３１が形成されている。付勢部材６５は、調整部材６２の内空６２３内に収容され、開放部材６３と、可撓部６１２の先端屈曲部６１２ｂで構成された底部との間に圧縮状態で介挿されている。本実施形態では、付勢部材６５はスプリングであるが、他の弾性材料で構成された部材であってもよい。図１５に示されているように、傘カバー１Ａの先端を、所望の場所に押し当てることにより、開放部材６３が、付勢部材６５の付勢力に抗して後退し、排出口６２４が開放される。これにより、調整部材６２や収容部材６１内に溜まった雨水が、排出口６２４から排出される。
【００２７】
以上説明した構成の他、保持部材として、図１９に示されているように、収容部材６１の内壁に板状又はシート状の滑り止め部材６１５を貼り付けても良い。滑り止材６１５は、可撓部６１２の内壁に重なって貼り付けられる長帯部６１５Ｐが内周方向に、スリット６１５Ｓを介して複数個（この実施形態では４つ）配置されている。スリット６１５Ｓは、可撓部６１２の間に設けられている隙間６１２Ｓに合致する位置に設けられている。滑り止部材６１５は、可撓部６１２よりも軟質の弾性部材で構成されている。このため、可撓部６１２の撓みとともに、可撓部６１２に沿って変形することができる。可撓部６１２が調整部材６２により内側に撓んで、傘先端部１０１に押圧されると、傘先端部１０１と可撓部６１２との間に介在する滑り止部材６１５の作用によりって、傘先端部１０１から着脱部３２Ａが滑り抜けることが抑制される。
【００２８】
このような滑り止め部材の構成材料としては、板状の天然ゴム、合成ゴム、シリコンゴム等の弾性部材などか好ましい。これらの部材は、摩擦係数が高いために、傘先端部１０１に接触することにより、摩擦力により、着脱部６１を傘先端部１０１に対して装着された状態に維持する。この摩擦力は、調整部材６２を可撓部６１２方向へ深く挿入することにより、接触圧がより増大し、これと共に摩擦力が増大する。
【図面の簡単な説明】
【００２９】
【図１】本発明の傘カバーを傘に装着した状態を示す全体斜視図である。
【図２】本発明の傘カバーの縮小状態を示す全体斜視図である。
【図３】本発明の傘カバーの縮小状態を示す部分断面側面図である。
【図４】本発明の傘カバーの伸張状態を示す全体斜視図である。
【図５】本発明の傘カバーの横断面図である。
【図６】カバー部材横断面形状の他の構成を示す全体断面斜視図である。
【図７】カバー部材横断面形状の他の構成を示す全体断面斜視図である。
【図８】本発明の傘カバーの他の実施形態を示す全体側面図である。
【図９】本発明の傘カバーの他の実施形態を示す部分断面側面図である。
【図１０】本発明の傘カバーの他の実施形態を示す断面全体側面図である。
【図１１】シート材の固定部分を示す部分拡大断面側面図である。
【図１２】シート材の固定部分を示す部分拡大断面側面図である。
【図１３】着脱部の断面側面図である。
【図１４】着脱部の断面側面図である。
【図１５】着脱部の断面側面図である。
【図１６】収容部材の部分断面斜視図である。
【図１７】収容部材の部分断面斜視図である。
【図１８】収容部材の横断面図である。
【図１９】収容部材の部分断面斜視図である。
【符号の説明】
【００３０】
１  傘カバー
１０  傘
３ｎ（ｎ＝１１〜２２）  カバー部材
３２  着脱部
４１ｎ  開口部
４２ｎ  開口部
４３ｎ  内側フランジ
４４ｎ  外側ブランジ
４５ｎ  突起
４６ｎ  内周面
４７ｎ  段部
４８ｎ  キー
４９ｎ  キー溝
ＳＴ  シート材
６１  収容部材
６１２  可撓部
６２  調整部材
６２２  案内部(ガイド部)
６４  保持部材
【図１】
2009119238.tif 000003
【図２】
2009119238.tif 000004
【図３】
2009119238.tif 000005
【図４】
2009119238.tif 000006
【図５】
2009119238.tif 000007
【図６】
2009119238.tif 000008
【図７】
2009119238.tif 000009
【図８】
2009119238.tif 000010
【図９】
2009119238.tif 000011
【図１０】
2009119238.tif 000012
【図１１】
2009119238.tif 000013
【図１２】
2009119238.tif 000014
【図１３】
2009119238.tif 000015
【図１４】
2009119238.tif 000016
【図１５】
2009119238.tif 000017
【図１６】
2009119238.tif 000018
【図１７】
2009119238.tif 000019
【図１８】
2009119238.tif 000020
【図１９】
2009119238.tif 000021
【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
傘先端部が挿入される挿入口を有し、該挿入口に挿入された傘先端部に着脱自在に取り付けられる着脱部と、
該着脱部の挿入口側に外装された筒状の先端カバー部材と、
前側から後側へ向けて、前記先端カバー部材から順に複数のカバー部材が後端側に外装され、
前記複数のカバー部材は、外側面が重なった縮小状態と、軸方向に伸張されて外側面が露出した伸張状態とに変更可能に構成され、
前記着脱部は、前記先端カバー部材が接続される収容部材とを備え、
前記収容部材は、傘先端部が挿入される収容部と、前記収容部において、内部周方向に複数配置され、先端方向へ向けて延設された、可撓性を有する複数の可撓部とを有し、
前記収容部材の先端には、挿入口へ向けて挿入される調整部材が設けられ、
該調整部材は、前記複数の可撓部の先端に対向して配置され、挿入口の方向へ移動することによって、前記各可撓部の先端に接触しつつ、各可撓部の先端を相互に近づく方向へ案内するガイド部を有することを特徴とする傘カバー。
【手続補正２】
【補正対象書類名】明細書
【補正対象項目名】０００４
【補正方法】変更
【補正の内容】
【０００４】
以上のような問題を解決する本発明は、以下のような構成を有する。
（１）  傘先端部が挿入される挿入口を有し、該挿入口に挿入された傘先端部に着脱自在に取り付けられる着脱部と、
該着脱部の挿入口側に外装された筒状の先端カバー部材と、
前側から後側へ向けて、前記先端カバー部材から順に複数のカバー部材が後端側に外装され、
前記複数のカバー部材は、外側面が重なった縮小状態と、軸方向に伸張されて外側面が露出した伸張状態とに変更可能に構成され、
前記着脱部は、前記先端カバー部材が接続される収容部材とを備え、
前記収容部材は、傘先端部が挿入される収容部と、前記収容部において、内部周方向に複数配置され、先端方向へ向けて延設された、可撓性を有する複数の可撓部とを有し、
前記収容部材の先端には、挿入口へ向けて挿入される調整部材が設けられ、
該調整部材は、前記複数の可撓部の先端に対向して配置され、挿入口の方向へ移動することによって、前記各可撓部の先端に接触しつつ、各可撓部の先端を相互に近づく方向へ案内するガイド部を有することを特徴とする傘カバー。